(57)【要約】【課題】ホログラム記録層に記録した情報を再生した時に再生信号のノイズを低減する。【解決手段】画素が二次元的に配列された空間光変調器２７で記録信号Ｒｓに応じて複数の画素により暗く表示される暗ドット（ＢＤ）と複数の画素により明るく表示される明ドット（ＷＤ）とに光変調された記録光Ｌｒと、記録光Ｌｒと同じ波長の参照光Ｌｓとを、ホログラム記録媒体１のホログラム記録層３上に照射して、両光Ｌｓ，Ｌｒにより情報をホログラム記録層３に干渉縞の形態で記録するホログラム記録方法において、暗ドット（ＢＤ）は複数の画素全てを同じ暗さの光強度に設定し、一方、明ドット（ＷＤ）は複数の画素のうちで最も明るく表示される中心画素領域（ＯＧＡ）の周辺に沿って形成した周辺画素領域（ＳＧＡ）を該中心画素領域（ＯＧＡ）よりも暗い光強度に設定し且つ暗ドット（ＢＤ）よりも明るい光強度に設定するように空間光変調器２７で光変調している。【選択図】図１
2008112477.tif 000002
【特許請求の範囲】
【請求項１】
画素が二次元的に配列された面内で複数の画素を組みとして各ドットが形成された空間光変調器にレーザ光を照射して、前記空間光変調器で記録信号に応じて前記複数の画素により暗く表示される暗ドットと前記複数の画素により明るく表示される明ドットとに光変調された記録光と、該記録光と同じ波長の参照光とを、ホログラム記録媒体のホログラム記録層上に照射して、両光により情報を前記ホログラム記録層に干渉縞の形態で記録するホログラム記録方法であって、
前記暗ドットは前記複数の画素全てを同じ暗さの光強度に設定し、一方、前記明ドットは前記複数の画素のうちで最も明るく表示される中心画素領域の周辺に沿って形成した周辺画素領域を該中心画素領域よりも暗い光強度に設定し且つ前記暗ドットよりも明るい光強度に設定するように前記空間光変調器で光変調することを特徴とするホログラム記録方法。
【請求項２】
少なくとも２以上の前記明ドットが互いに隣接し合う場合に、各明ドットの各中心画素領域同士を結合し、結合した後の中心画素領域の周辺に沿って形成した周辺画素領域を該中心画素領域よりも暗い光強度に設定し且つ前記暗ドットよりも明るい光強度に設定するように前記空間光変調器で光変調することを特徴とする請求項１記載のホログラム記録方法。
【請求項３】
前記空間光変調器で前記暗ドットと前記明ドットとに対して２−４変調を行うことを特徴とする請求項１又は請求項２記載のホログラム記録方法。
【請求項４】
レーザ光を出射するレーザ光源と、
画素が二次元的に配列された面内で複数の画素を組みとして各ドットが形成された前記面に前記レーザ光を照射して、記録信号に応じて前記複数の画素により暗く表示される暗ドットと前記複数の画素により明るく表示される明ドットとに光変調された記録光を出射する空間光変調器と、
前記記録光と同じ波長の参照光を出射する参照光光学系と、を備え、
前記記録光と前記参照光とを、ホログラム記録媒体のホログラム記録層上に照射して、両光により情報を前記ホログラム記録層に干渉縞の形態で記録するホログラム記録装置であって、
前記空間光変調器は、前記暗ドットに対して前記複数の画素全てを同じ暗さの光強度に設定し、一方、前記明ドットに対して前記複数の画素のうちで最も明るく表示される中心画素領域の周辺に沿って形成した周辺画素領域を該中心画素領域よりも暗い光強度に設定し且つ前記暗ドットよりも明るい光強度に設定するように光変調することを特徴とするホログラム記録装置。
【発明の詳細な説明】
【技術分野】
【０００１】
本発明は、ホログラム記録媒体に情報を記録するホログラム記録方法及びホログラム記録装置に関する。
【背景技術】
【０００２】
レーザ光を光源に用いた光ディスクとして、周知のＣＤ（Ｃｏｍｐａｃｔ  Ｄｉｓｃ）は、波長が７８０ｎｍ程度のレーザ光源と開口数（ＮＡ）が０．４５程度の対物レンズとを用いて、音楽情報７４分の録音やデジタルデータ６４０ＭＢの記録を可能としている。
【０００３】
また、周知のＤＶＤ（Ｄｉｇｉｔａｌ  Ｖｅｒｓａｔｉｌｅ  Ｄｉｓｃ）は波長が６５０ｎｍ程度のレーザ光源と開口数（ＮＡ）が０．６程度の対物レンズとを用いて、２時間１５分のＭＰＥＧ２の動画やデジタルデータ４．７ＧＢの記録を可能としている。
【０００４】
また、最近、ＤＶＤよりも高密度、大容量の光ディスクとして、ＢＤ（Ｂｌｕ−ｒａｙ  Ｄｉｓｃ）が提案されており、このＢＤは波長が４００ｎｍ前後のレーザ光源と開口数（ＮＡ）が０．８５程度の対物レンズとを組み合わせて、ＢＤ片面で２５ＧＢの記録を可能としている。
【０００５】
このように光ディスクは、より短波長のレーザ光源と、より開口数（ＮＡ）が大きい対物レンズとを用いることで高密度化を実現してきた。しかしながら、上記した各光ディスクに対して情報信号を１ｂｉｔ（ビット）ごとに平面的に記録する場合に、記録密度は光の回折限界、つまり、光をどれだけ小さく絞れるかによって制限を受けるので、上記したＢＤのように短波長のレーザ光源と高い開口数（ＮＡ）の対物レンズとによるアプローチを図っても限界が近づいている。
【０００６】
この様な中、更に高密度化ができ、且つ、情報の高速転送を可能とする記録技術として、ホログラム記録媒体を用いて映像情報などの各種の情報を記録再生するホログラム記録再生方法が大きな注目を集めている。
【０００７】
この種のホログラム記録再生方法は、液晶表示パネル（ＬＣＤ）などを用いた空間光変調器で明るく表示される明ドットと暗く表示される暗ドットとからなる２次元の明暗ドットとして表示された１画面分の情報に応じて光変調された記録光（信号光）と、この記録光と同じ波長の参照光とにより、ホログラム記録媒体のホログラム記録層に各種の情報を干渉縞の形態で記録し、この後、各種の情報が記録されたホログラム記録媒体に参照光のみを入射させて、この参照光がホログラム記録層で回折された再生光を用いてＣＣＤなどの撮像素子により各種の情報を再生しているが、高密度に記録する場合にホログラム記録層中の同一位置（同一領域）に複数のホログラム情報を角度多重して記録する角度多重型のホログラム記録装置が下記の特許文献１に開示されている。
【０００８】
上記した特許文献１（特開２００３−３３７５２４号公報）によると、ここでの図示を省略するものの、ホログラム記録装置は、信号光及び参照光に対するホログラム記録媒体の記録角度を相対的に変更可能な記録角度変更手段と、制御手段とを備えている。この際、制御手段は、ホログラム記録媒体における複数の角度記録面のうち特定の角度記録面を記録する際の基準記録角度として設定し、更に、以降における記録角度を、この設定された基準記録角度を基準として所定角度ずつ変更するように記録角度変更手段を制御している。この角度多重記録により、記録する情報の記録密度及び記録容量を飛躍的に高めることができ、迅速なる記録動作が可能となる旨が開示されている。
【０００９】
一方、ホログラム記録方法において、空間光変調器から出射される記録光中の２次元の明暗ドットパターンを、ホログラム記録媒体の位置で周知のフラウンホーファー回折の影響を受け、フーリエ変換された像としてホログラム記録層に記録するフーリエ変換ホログラムを用いる方式が広く用いられる。
【００１０】
この際、前記した２次元の明暗ドットパターンは、細かいほど、つまり、ドットサイズが小さいほど多くの情報量を有することになるので、大容量の情報記録が可能になるものの、ドットサイズを小さくすると、回折の影響を受け、ホログラム記録媒体の位置では大きく広がってしまう。
【００１１】
具体的には、記録光及び参照光の波長をλ、２次元の明暗ドットパターンのうちで明ドットのサイズをｄ、ホログラム記録媒体のホログラム記録層上での１方向をｘ（光軸中心をｘ＝０とする）、２次元の明暗ドットパターンによる記録光を出射する空間光変調器とホログラム記録媒体との間の距離をｚとし、ｚ＞ｄ２／λの条件を満たすと、フラウンホーファー回折の領域となり、ホログラム記録層上での光の振幅はドットパターンのフーリエ変換として表される。つまり、ホログラム記録層上での光の振幅Ｅは下記の式１で示されるｓｉｎｃ関数で表され、ｘに対して周期性を持ちながら広がった分布になる。
【数１】
2008112477.tif 000003
【００１２】
尚、ディジタル信号処理などに適用されるｓｉｎｃ関数は、一般的に、
ｓｉｎｃ(ｘ)＝｛ｓｉｎπｘ｝／πｘ  であり、０での特異点を除くために、
ｓｉｎｃ(ｘ)＝１と定義されるものである。
【００１３】
また、ホログラム記録層上での光強度Ｉは、上記した式１で得られた振幅Ｅから下記の式２で示される。
【数２】
2008112477.tif 000004
【００１４】
また、２次元の明暗ドットパターンによる記録光を出射する空間光変調器とホログラム記録媒体との間に集光レンズを挿入して、この集光レンズで記録光を絞って２次元の明暗ドットパターンをホログラム記録媒体に記録する場合も、上記した２次元の明暗ドットパターンは縮小されるものの、フーリエ変換される状況は上記と同じである。
【００１５】
そして、ホログラム記録媒体のホログラム記録層上で各明ドット又は各暗ドットが外側に広がった高次の成分は、明ドットと暗ドットとの境界部分における光強度勾配のシャープさの情報であるので、これらが忠実に記録されないと、再生時における再生像が不鮮明になったり、ノイズの原因になったりする。
【００１６】
この問題を解決するために、２次元データ情報をホログラム記録媒体上でホログラム情報として記録する場合に、記録領域の微小化によるＳＮ比の低下を防止でき、記録領域を微小化してホログラム情報を高密度に記録できる光記録方法および光記録装置が下記の特許文献２に開示されている。
【００１７】
上記した特許文献２（特開２０００−９８８６２号公報）によると、ここでの図示を省略するものの、二値の２次元デジタルデータ画像を空間光変調器に表示し、空間光変調器を通過した光を、空間光変調器の各画素ごとに対応して設けられたマスク内に形成した複数の円形状光透過部に透過させて、マスクを透過した光として、２次元デジタルデータ画像を保持し、各画素の信号光成分の形状が円形とされた信号光を得る。この信号光をレンズによってフーリエ変換して、記録領域を微小化するために光記録媒体の直前に設けられた遮光体の光透過部を透過させて、光記録媒体に照射する。同時に参照光を、遮光体の光透過部を透過させて、光記録媒体のフーリエ変換後の信号光が照射される領域に照射する。
【００１８】
これによって、信号光の各画素の信号光成分中のＳＮ比の低下を招く不安定なコーナー部分が除去され、記録領域の微小化によるＳＮ比の低下が防止される旨が開示されている。
【特許文献１】特開２００３−３３７５２４号公報
【特許文献２】特開２０００−９８８６２号公報
【発明の開示】
【発明が解決しようとする課題】
【００１９】
ところで、上記した特許文献１の技術的思想と、上記した特許文献２の技術的思想とを組み合わせて、二値の２次元デジタルデータ画像をホログラム記録媒体上で角度多重して記録する場合に、記録する情報の記録密度及び記録容量を飛躍的に高めることができ、迅速なる記録動作が可能であるものの、以下に記載する問題点が生じる。
【００２０】
即ち、特許文献２に開示された光記録方法および光記録装置の技術的思想を適用する場合には、空間光変調器の近傍にマスクを設け、且つ、光記録媒体の直前に遮光体を設けなければならないので、マスクや遮光体を用いることは装置の複雑化、大型化につながる。
【００２１】
また、特許文献２において、空間光変調器の近傍にマスクを設けた際、空間光変調器内に配置した複数の画素（ピクセル）とマスク内に形成した複数の円形状光透過部とが一致していなければならないので、両者の取り付け位置精度出しが難しい。
【００２２】
また、特許文献２において、光記録媒体の直前に設けた遮光体も、マスクの円形状光透過部と記録ビーム位置とが一致していなければならない。このようなマスク、遮光体の製作および位置合わせには高い精度が要求され、記録方法として困難である。
【００２３】
更に、特許文献２において、マスク内に複数の円形状光透過部を形成して、各画素の信号光成分の形状が円形とされた信号光を得たとしても、再生される像は高次の不要な広がりを有し、ノイズの原因となる。これは、明ドットと暗ドットとの間で光強度が空間的に急峻に変化するので、高い空間周波数成分を含むためである。この状態は円形マスクが無い場合と殆ど変わりがないので、各画素の信号光成分中のＳＮ比の低下を招く不安定なコーナー部分が除去されたとしても、記録領域の微小化によるＳＮ比の低下が完全に防止されるとはいい難いと考えられる。
【００２４】
そこで、画素が二次元的に配列された空間光変調器で記録信号に応じて複数の画素により暗く表示される暗ドットと複数の画素により明るく表示される明ドットとに光変調された記録光と、記録光と同じ波長の参照光とを、ホログラム記録媒体のホログラム記録層上に照射して、両光により情報をホログラム記録層に干渉縞の形態で記録するにあたって、ホログラム記録媒体のホログラム記録層に記録された情報を再生した時の再生信号に対してノイズの低減を図ることができ、且つ、ビットエラーレートが小さく信頼性の高い再生ができるホログラム記録方法及びホログラム記録装置が望まれている。
【課題を解決するための手段】
【００２５】
本発明は上記課題に鑑みてなされたものであり、請求項１記載の発明は、画素が二次元的に配列された面内で複数の画素を組みとして各ドットが形成された空間光変調器にレーザ光を照射して、前記空間光変調器で記録信号に応じて前記複数の画素により暗く表示される暗ドットと前記複数の画素により明るく表示される明ドットとに光変調された記録光と、該記録光と同じ波長の参照光とを、ホログラム記録媒体のホログラム記録層上に照射して、両光により情報を前記ホログラム記録層に干渉縞の形態で記録するホログラム記録方法であって、
前記暗ドットは前記複数の画素全てを同じ暗さの光強度に設定し、一方、前記明ドットは前記複数の画素のうちで最も明るく表示される中心画素領域の周辺に沿って形成した周辺画素領域を該中心画素領域よりも暗い光強度に設定し且つ前記暗ドットよりも明るい光強度に設定するように前記空間光変調器で光変調することを特徴とするホログラム記録方法である。
【００２６】
また、請求項２記載の発明は、少なくとも２以上の前記明ドットが互いに隣接し合う場合に、各明ドットの各中心画素領域同士を結合し、結合した後の中心画素領域の周辺に沿って形成した周辺画素領域を該中心画素領域よりも暗い光強度に設定し且つ前記暗ドットよりも明るい光強度に設定するように前記空間光変調器で光変調することを特徴とする請求項１記載のホログラム記録方法である。
【００２７】
また、請求項３記載の発明は、前記空間光変調器で前記暗ドットと前記明ドットとに対して２−４変調を行うことを特徴とする請求項１又は請求項２記載のホログラム記録方法である。
【００２８】
更に、請求項４記載の発明は、レーザ光を出射するレーザ光源と、
画素が二次元的に配列された面内で複数の画素を組みとして各ドットが形成された前記面に前記レーザ光を照射して、記録信号に応じて前記複数の画素により暗く表示される暗ドットと前記複数の画素により明るく表示される明ドットとに光変調された記録光を出射する空間光変調器と、
前記記録光と同じ波長の参照光を出射する参照光光学系と、を備え、
前記記録光と前記参照光とを、ホログラム記録媒体のホログラム記録層上に照射して、両光により情報を前記ホログラム記録層に干渉縞の形態で記録するホログラム記録装置であって、
前記空間光変調器は、前記暗ドットに対して前記複数の画素全てを同じ暗さの光強度に設定し、一方、前記明ドットに対して前記複数の画素のうちで最も明るく表示される中心画素領域の周辺に沿って形成した周辺画素領域を該中心画素領域よりも暗い光強度に設定し且つ前記暗ドットよりも明るい光強度に設定するように光変調することを特徴とするホログラム記録装置である。
【発明の効果】
【００２９】
本発明に係るホログラム記録方法及びホログラム記録装置によると、画素が二次元的に配列された空間光変調器で記録信号に応じて複数の画素により暗く表示される暗ドットと複数の画素により明るく表示される明ドットとに光変調された記録光と、記録光と同じ波長の参照光とを、ホログラム記録媒体のホログラム記録層上に照射して、両光により情報をホログラム記録層に干渉縞の形態で記録する際に、とくに、暗ドットは複数の画素全てを同じ暗さの光強度に設定し、一方、明ドットは複数の画素のうちで最も明るく表示される中心画素領域の周辺に沿って形成した周辺画素領域を該中心画素領域よりも暗い光強度に設定し且つ暗ドットよりも明るい光強度に設定するように空間光変調器で光変調しているので、この結果、明ドットの中心画素領域よりも暗い光強度で且つ暗ドットよりも明るい光強度に設定した周辺画素領域により、暗ドットと明ドットとの境界部位が急峻に変化しないために、高次ピークを低減できるので、これに伴って再生信号のノイズを低減できると共に、ビットエラーレートが小さく信頼性が高い再生が可能となる。また、明ドットの周辺画素領域を中心画素領域よりも暗い光強度で且つ暗ドットよりも明るい光強度に設定することにより、記録における露光量を少なくでき、記録の多重度（ダイナミックレンジ）が向上し、且つ、記憶容量も向上させることができる。
【発明を実施するための最良の形態】
【００３０】
以下に本発明に係るホログラム記録方法及びホログラム記録装置の一実施例を図１〜図２０を参照して詳細に説明する。
【実施例】
【００３１】
図１（ａ）本発明に係るホログラム記録方法に適用されるホログラム記録再生装置を示した構成図であり、（ｂ）はホログラム記録媒体のホログラム記録層上に情報を角度多重記録する状態を模式的に示した図、
図２（ａ）は図１に示した空間光変調器及び記録信号出力部を拡大して示した図であり、（ｂ）は液晶部に表示されるドットを示した図である。
【００３２】
図１（ａ）に示した如く、本発明に係るホログラム記録方法が適用されるホログラム記録再生装置１０では、光透過型のホログラム記録媒体１を用いるように構成されている。
【００３３】
上記したホログラム記録媒体１は、光透過性を有するポリカーボネートやポリスチレンなどの透明な樹脂材を用いて基板２が形成されており、且つ、この基板２の一方の面（上面）２ａ上に光透過性を有するホログラム記録層３が成膜されている。
【００３４】
この際、ホログラム記録層３は紫外線硬化樹脂などのフォトポリマーが使用され、ホログラム記録層３の厚みが約０．４ｍｍ程度と厚く成膜されているので、後述する記録光Ｌｒと参照光Ｌｓとにより紫外線硬化樹脂が硬化することで干渉縞が厚いグレーティング、いわゆるブラックグレーティングとして記録されるために角度多重記録が可能となり、大容量の情報がホログラム記録できるようになっている。
【００３５】
次に、上記したホログラム記録再生装置１０は、大別すると、ホログラム記録媒体１上に後述するように明るく表示される明ドットと暗く表示される暗ドットとからなる２次元の明暗ドットとして表示された１画面分の情報をホログラム記録するための記録用光ヘッド２０と、ホログラム記録媒体１上に記録された情報を再生するための再生用光ヘッド４０とから構成されている。
【００３６】
そして、記録用光ヘッド２０はホログラム記録媒体１の基板２の一方の面（上面）２ａ上に成膜されたホログラム記録層３側に設けられており、一方、再生用光ヘッド４０はホログラム記録媒体１の基板２の他方の面（下面）２ｂ側に設けられている。
【００３７】
この際、ホログラム記録媒体１に対して記録のみを行う場合には、記録用光ヘッド２０のみを備えてホログラム記録装置として構成すれば良い。
【００３８】
更に、ホログラム記録媒体１に対して再生のみを行う場合には、参照光Ｌｓのみをホログラム記録媒体１上に照射する参照光用ヘッド（図示せず）と、参照光Ｌｓをホログラム記録媒体１内のホログラム記録層３で回折させた再生光Ｌｐを再生する再生用光ヘッド４０とを備えてホログラム再生装置として構成すれば良い。
【００３９】
まず、上記した記録用光ヘッド２０では、Ａｒ(アルゴン)を用いたレーザ光源２１から基準波長λとして例えば５１４．５ｎｍ程度のレーザ光Ｌが出射されている。尚、レーザ光源２１から出射されるレーザ光Ｌの基準波長λはホログラム記録層３の材質に応じて選択すれば良いものである。
【００４０】
そして、レーザ光源２１から出射されたレーザ光Ｌは直線偏光の発散光であり、この発散光がコリメーターレンズ２２で平行光に変換された後に半透過反射ミラー２３に入射されて、この半透過反射ミラー２３によりレーザ光Ｌが２分割され、半透過反射ミラー２３で反射された一方の光線Ｌａは参照光用となり、且つ、半透過反射ミラー２３を透過した他方の光線Ｌｂは信号光用となる。従って、参照光用となる一方の光線Ｌａと、信号光用となる他方の光線Ｌｂは、レーザ光源２１から出射されたレーザ光Ｌによる同じ基準波長λであることは明らかである。
【００４１】
そして、半透過反射ミラー２３で反射された参照光用となる一方の光線Ｌａは、半透過反射ミラー２３の右斜め下方に設けた第１反射ミラー２４により中心部に向かうように反射された後に、第１集光レンズ２５で絞られて参照光Ｌｓとして、光透過型のホログラム記録媒体１上に入射される。
【００４２】
また、半透過反射ミラー２３を透過した信号光用となる他方の光線Ｌｂは、半透過反射ミラー２３の左斜め下方に設けた第２反射ミラー２６により中心部に向かうように反射された後に、液晶表示パネル（ＬＣＤ）などを用いた空間光変調器（Ｓｐａｔｉａｌ  Ｌｉｇｈｔ  Ｍｏｄｕｌａｔｏｒ：ＳＬＭ）２７の裏面に入射される。
【００４３】
上記した空間光変調器２７は、図２（ａ）に拡大して示した如く、２枚の透明電極２８，２９との間に、画素と対応する小さな液晶セル３０ａを縦横に二次元的に配列した液晶部３０が介装されており、光透過型に構成されている。従って、空間光変調器２７内には、多数の液晶セル３０ａによって多数の画素が二次元的に配列されていることになる。
【００４４】
また、空間光変調器２７の裏面側に配置された透明電極２８と記録信号出力部３１との間には水平方向の信号線Ｈｓが接続され、且つ、空間光変調器２７の表面側に配置された透明電極２９と記録信号出力部３１との間には垂直方向の信号線Ｖｓが接続されており、記録信号出力部３１からの記録信号Ｒｓ（図１）を信号線Ｈｓ，Ｖｓを介して各透明電極２８，２９に供給することで、二次元的に配列した各液晶セル３０ａ中で信号線Ｈｓ，Ｖｓが交差した液晶セル３０ａに記録信号Ｒｓに応じた各電圧が印加され、各液晶セル３０ａの間の各電位差により各液晶セル３０ａの液晶の分子配列が生じて光透過率が変化する。
【００４５】
尚、上記とは異なって、空間光変調器２７の裏面側に配置された透明電極２８に水平方向の信号線Ｈｓと垂直方向の信号線Ｖｓとを接続し、且つ、空間光変調器２７の表面側に配置された透明電極２９を共通電極とする構成でも良い。
【００４６】
従って、上記した液晶部３０では、図２（ｂ）に拡大して示したように、複数の画素として例えば３×３の各液晶セル３０ａを組にして９個の画素によりドットＤが正方形状に構成されており、このドットは、後述するように記録信号Ｒｓ（図１）に応じて暗く表示される暗ドットＢＤ｛図３（ａ）｝と、明るく表示される明ドットＷＤ｛図３（ｂ）｝とにフーリエ変換により光変調されて、これらの暗ドットＢＤと明ドットＷＤとを適宜組み合わせた１画面分の画像情報光が濃淡でオンオフ表示されようになっている。
【００４７】
この際、暗ドットＢＤと明ドットＷＤとの境界部分における光強度勾配がシャープとなるように空間光変調器２７で暗ドットＢＤと明ドットＷＤとに対して２−４変調をかけているが、この２−４変調については後で詳述する。
【００４８】
尚、この実施例では、空間光変調器２７として画素と対応する小さな液晶セル３０ａを縦横に二次元的に配列した液晶部３０を備えたものを適用したが、これに限ることなく、空間光変調器２７としてＤＭＤ（Ｄｉｇｉｔａｌ  Ｍｉｒｒｏｒ  Ｄｅｖｉｃｅ：マイクロミラーを使った素子）や、ＭＯ（Ｍａｇｎｅｔｉｃ  Ｏｐｔｉｃａｌ）−ＳＬＭ（Ｓｐａｔｉａｌ  Ｌｉｇｈｔ  Ｍｏｄｕｌａｔｏｒ）や、ＥＯ（Ｅｌｅｃｔｒｏ  Ｏｐｔｉｃａｌ）−ＳＬＭなどを用いても良い。
【００４９】
再び図１に戻り、空間光変調器２７の裏面に入射した信号光用となる他方の光線Ｌｂは、記録信号Ｒｓに応じて光変調されて、空間光変調器２７の表面から出射された後に、第２集光レンズ３２で絞られて記録光（信号光）Ｌｒとして、光透過型のホログラム記録媒体１上に入射される。
【００５０】
この際、同じ波長の参照光Ｌｓ及び記録光Ｌｒは、略左右対称の入射角を持って光透過型のホログラム記録媒体１の基板２上に成膜したホログラム記録層３に入射され、且つ、参照光Ｌｓ及び記録光Ｌｒは、ホログラム記録層３上の同一位置（同一領域）に集光されて、参照光Ｌｓと、１画面分の記録光Ｌｒとにより１画面分の情報が干渉縞の形態でホログラム記録層３に角度多重により記録される。
【００５１】
ここで、参照光Ｌｓと記録光Ｌｒとによりホログラム記録層３上に角度多重する場合には、図１（ｂ）に示したように、ホログラム記録層３上の同一位置（同一領域）に記録角度を僅かづつ変えて例えば１０１回重ね書きすることにより１０１角度多重記録が得られる。
【００５２】
この際、角度多重記録する方法としては、記録用光ヘッド２０を固定した状態でホログラム記録媒体１の記録位置を僅かづつ回転移動させる方法、又は、ホログラム記録媒体１を固定した状態で記録用光ヘッド２０を僅かづつ回転させる方法のいずれかを用いれば良いものである。
【００５３】
そして、記録用光ヘッド２０により角度多重記録を行った場合に、光透過型のホログラム記録媒体１の基板２上に成膜したホログラム記録層３は、前述したようにホログラム記録層３の厚みが約０．４ｍｍ程度と厚く成膜されているので、記録トラック部位にスポット状に照射した参照光Ｌｓと記録光Ｌｒとによる光スポットの面積内で各種の情報がホログラム媒質の厚み方向に向かって微小な回折格子の集合体として記録でき、且つ、同一位置（同一領域）で記録角度を変えることで例えば１０１角度多重により多量の情報が記録できる。
【００５４】
一方、光透過型のホログラム記録媒体１の基板２の他方の面２ｂの下方には、再生用光ヘッド４０が設けられている。
【００５５】
上記した再生用光ヘッド４０は、基板２を透過した再生光Ｌｐを平行光に変換する対物レンズ４１と、この対物レンズ４１を通過した平行光を受光するＣＣＤなどによる撮像素子４２とが設けられている。
【００５６】
上記した撮像素子（ＣＣＤ）４２は、空間光変調器２７の液晶部３０の液晶セル３０ａの数量と対応して、多数のフォトディテクタ（図示せず）を縦横に二次元的に配列したものであり、各フォディテクタで検出した各光量を光電変換した撮像信号４２ａを再生信号処理部６４に送っている。この際、撮像素子４２は、再生光Ｌｐにより角度多重して記録された１画面分の情報を検出できる面積を有していれば良い。
【００５７】
上記のように構成した再生用光ヘッド４０を用いて光透過型のホログラム記録媒体１を再生する場合には、参照光Ｌｓと再生光Ｌｐとを用いているものの、記録光Ｌｒは必要ないので、空間光変調器２７の液晶部３０が有するシャッタ機能を動作させるか、記録光Ｌｒの出射側に不図示のシャッタ機構を取り付けて動作させることで、記録光Ｌｒを遮断すれば良い。
【００５８】
そして、再生時には、記録用光ヘッド２０内に設けたホログラム記録部４０から出射された参照光Ｌｓのみを光透過型のホログラム記録媒体１上に照射する。この後、参照光Ｌｓは、ホログラム記録層３内に記録された微小な回折格子の集合体によりブラック回折されて再生光Ｌｐとなり、この再生光Ｌｐが光透過性の基板２を透過した後に、再生用光ヘッド４０内の対物レンズ４１に入射され、この対物レンズ４１で平行光に変換された後に撮像素子４２で受光されて、撮像素子４２で光電変換して出力された撮像信号４２ａが再生信号処理部６４で処理されている。
【００５９】
尚、この実施例によるホログラム記録再生装置１０の構成は一例にすぎず、これに限定されるものではない。例えば、不図示の光反射型のホログラム記録媒体を適用可能にホログラム記録再生装置を光反射型に構成することも可能である。また、参照光Ｌｓ及び記録光Ｌｓを第１集光レンズ２５及び第２集光レンズ３２で絞り込むことなく、参照光Ｌｓ及び記録光Ｌｓをホログラム記録媒体１上に直接照射することも可能であり、これに伴って、ホログラム記録媒体１に記録された情報を撮像素子（ＣＣＤ）で直接再生することも可能である。
【００６０】
ここで、上記した記録用光ヘッド２０を用いて光透過型のホログラム記録媒体１上に各種の情報を記録する本発明に係るホログラム記録方法について、図３〜図１３を用いて説明する。
【００６１】
図３（ａ），（ｂ）は本発明に係るホログラム記録方法において、空間光変調器の液晶部に表示される暗ドットと明ドットとを説明するための図、
図４（ａ）〜（ｄ）は本発明に係るホログラム記録方法において、空間光変調器内で暗ドットと明ドットとに対して２−４変調を行う動作を模式的に示した図、
図５は本発明に係るホログラム記録方法において、光波面解析ソフトを用いたシミュレーションモデルを説明するために模式的に示した図、
図６は図５に示したシミュレーションモデルにおいて、正方形状の明ドットの周辺画素領域に対して信号振幅を０％に設定した場合のシミュレーション結果を示した図、
図７は図５に示したシミュレーションモデルにおいて、正方形状の明ドットの周辺画素領域に対して信号振幅を１０％に設定した場合のシミュレーション結果を示した図、
図８は図５に示したシミュレーションモデルにおいて、正方形状の明ドットの周辺画素領域に対して信号振幅を２５％に設定した場合のシミュレーション結果を示した図、
図９は図５に示したシミュレーションモデルにおいて、正方形状の明ドットの周辺画素領域に対して信号振幅を５０％に設定した場合のシミュレーション結果を示した図、
図１０は図５に示したシミュレーションモデルにおいて、正方形状の明ドットの周辺画素領域に対して信号振幅を７０％に設定した場合のシミュレーション結果を示した図、
図１１は図５に示したシミュレーションモデルにおいて、正方形状の明ドットの周辺画素領域に対して信号振幅を１００％に設定した場合のシミュレーション結果を示した図、
図１２は図５に示したシミュレーションモデルにおいて、本発明に対する参考例として円形状の明ドットの周辺画素領域に対して信号振幅を１００％に設定した場合のシミュレーション結果を示した図、
図１３は図５に示したシミュレーションモデルにおいて、図６〜図１２中での１次ピーク／０次ピークの比と、２次ピーク／０次ピークの比とを示した図である。
【００６２】
本発明に係るホログラム記録方法では、前述したように、レーザ光源２１から出射されたレーザ光Ｌを参照光用となる一方の光線Ｌａと記録光用となる他方の光線Ｌｂとに分離した後、一方の光線Ｌａを第１集光レンズ２５で絞り込んだ参照光Ｌｓと、画素が二次元的に配列された面内で複数の画素を組みとして各ドットＤが形成された空間光変調器２７に他方の光線Ｌｂを照射して、空間光変調器２７で記録信号Ｒｓに応じて複数の画素により暗く表示される暗ドットＢＤと複数の画素により明るく表示される明ドットＷＤとに光変調されて、暗ドットＢＤと明ドットＷＤとを適宜組み合わせた情報光を第２集光レンズ３２で絞り込んだ記録光Ｌｓとを、ホログラム記録媒体１のホログラム記録層３上の同一位置に照射して、両光Ｌｓ，Ｌｒにより情報をホログラム記録層３に干渉縞の形態で記録するにあたって、空間光変調器２７では、図３（ａ）に示したように、複数の画素（９個の画素）により正方形状に形成された暗ドットＢＤに対して複数の画素（９個の画素）全てを同じ暗さの光強度に設定すると共に、図３（ｂ）に示したように、複数の画素（９個の画素）により正方形状に形成された明ドットＷＤに対して複数の画素（９個の画素）のうちで最も明るく表示される中心画素領域ＯＧＡの周辺に沿って形成した周辺画素領域ＳＧＡを該中心画素領域ＯＧＡよりも暗い光強度に設定し且つ暗ドットＢＤよりも明るい光強度に設定するように２−４変調をかけている。上記を言い換えると、明ドットＷＤの周辺画素領域ＳＧＡは中心画素領域ＯＧＡよりも光強度を低く設定され且つ暗ドットＢＤよりも明るい光強度に設定されている。
【００６３】
この際、空間光変調器２７の液晶部３０｛図２（ａ），（ｂ）｝内で一つの画素となる液晶セル３０ａは例えば１０μｍ×１０μｍに設定され、９個の画素で３０μｍ×３０μｍのドットＤが正方形状に構成されているが、明ドットＷＤの中心画素領域ＯＧＡは１画素を有し且つこの１画素は光を全透過して最も明るく表示されている一方、中心画素領域ＯＧＡの周辺に沿って１０μｍ幅で形成された周辺画素領域ＳＧＡは合計で８画素を有し且つ中心画素領域ＯＧＡよりも暗く且つ暗ドットＢＤよりも明るいく表示されるように設定されている。
【００６４】
そして、空間光変調器２７内で、図４（ａ），（ｂ）に示したように、暗ドットＢＤに対する２値中の「０」は「００」と「０１」に２−４変調されており、この際、「００」及び「０１」は共に同じ暗さの光強度に設定されている。一方、図４（ｃ），（ｄ）に示したように、明ドットＷＤに対する２値中の「１」は「１０」と「１１」に２−４変調されており、この際、「１０」は明ドットＷＤの周辺画素領域ＳＧＡに対応して暗ドットＢＤの光強度と明ドットＷＤの中心画素領域ＯＧＡの光強度との間の光強度に設定され、「１１」は明ドットＷＤの中心画素領域ＯＧＡの光強度に設定されている。
【００６５】
更に、暗ドットＢＤと明ドットＷＤとを２−４変調した時に、図４（ａ）〜（ｄ）の図示から明らかなように、「００」，「０１」，「１０」，「１１」中では、いずれも「黒」＝「０」に表示される確率と、「白」＝「１」に表示される確率とが３：１の割合で出現しており、この出現確率については再生信号のノイズ測定時に述べる。
【００６６】
そして、上記を実証するために、光波面解析ソフトを用いて図５に示したシミュレーションモデルにより検証を試みた。
【００６７】
ここで、図５に示したシミュレーションモデルは、空間光変調器２７と同じようにドットをフーリエ変換する機能を有する凸レンズをホログラムディスクの位置に置換して配置し、光源からの平行光を空間光変調器２７内のドットＤ｛図２（ｂ）｝と等価の面積を有するドット表示部を通過させた後に、高次光の成分をカットするために凸レンズの前方に設けたマスクの開口部を通して凸レンズにより再生像観察面上に結像させて結像光学系を構成した。従って、この結像光学系では、凸レンズの左側が記録系となり、一方、凸レンズの右側が再生系となっている。
【００６８】
この際、光源は、波長λが５００ｎｍの均一光を出射するように設定した。また、ドット表示部の外形サイズを３０μｍ×３０μｍに設定することで、先に図３（ａ），（ｂ）に示した正方形状の暗ドットＢＤ，明ドットＷＤと同じ形状になり、且つ、明ドットＷＤの中心画素領域ＯＧＡの周辺に沿って１０μｍ幅で形成した周辺画素領域ＳＧＡに対して信号振幅を光が透過しない０％から光が全透過する１００％の間で変化させながら、ＸＹ平面からなる再生像観察面上でＸ方向の光強度分布を調べた。
【００６９】
尚、上記した光強度と、上記した信号振幅との関係は、前述した式２より、光強度＝（信号振幅）２となる。
【００７０】
また、マスクの開口部は１０ｍｍ×１０ｍｍに設定した。更に、凸レンズは開口数（ＮＡ）が０．５で、焦点距離ｆが１００ｍｍで収差のないものを使用することで、ドット表示部と凸レンズの中心との間の距離を２ｆ＝２００ｍｍに設定し、且つ、凸レンズの中心と再生像観察面との間の距離を２ｆ＝２００ｍｍに設定しているが、距離２ｆは実寸よりも短く図示している。
【００７１】
上記により、伝播条件は、 フラウンホーファー（２ｆ＝２００ｍｍ＞＞（ドットサイズ）２／λ＝１．８ｍｍ）の回折条件を満たすことができる。
【００７２】
そして、上記の条件下において、正方形状の明ドットＷＤの周辺画素領域ＳＧＡに対して信号振幅を０％（光透過なし），１０％，２５％，５０％，７０％，１００％（光全透過）に振ってシミュレーションしており、この時のシミュレーション結果を上記順に図６〜図１１に示すと共に、本発明に対する参考例として従来技術で説明した円形状の明ドットの場合に周辺画素領域に対して信号振幅を１００％とした結果を図１２に示している。
【００７３】
尚、図６〜図１２中で横軸はＸ軸方向の明ドットのサイズＸ＝±１５μｍに対して中心Ｘ＝０を中心にして±５０μｍの範囲まで広げた領域を示し、縦軸は光強度を示している。
【００７４】
上記図６〜図１２から明らかなように、ドットサイズの中心Ｘ＝０を中心にして０次光の光強度が凸状に現れ、且つ、０次光の光強度は信号振幅が増すにつれて凸状の幅が広がる傾向にあると共に、ドットサイズＸ＝±１５μｍの外側の裾野に、１次光，２次光，３次光による高次のピークが発生する。ここで、これらの高次ピークは全てノイズとなるので、高次ピーク小さい方が好ましい。従って、高次ピークが最も小さくなる時は図９に示したように正方形状の明ドットＷＤの周辺画素領域ＳＧＡに対して信号振幅を５０％に設定したときである。
【００７５】
更に、図６〜図１２に示したシミュレーション結果を利用して、１次ピーク／０次ピークの比と、２次ピーク／０次ピークの比とを図１３に示しており、横軸は明ドットの周辺画素領域に対する信号振幅（％）を示し、縦軸はピーク比を示している。
【００７６】
この図１３から明らかなように、明ドットＷＤの周辺画素領域ＳＧＡに対する信号振幅が３０％〜５５％の範囲内では、１次ピーク／０次ピークの比及び２次ピーク／０次ピークの比が共に小さくなるので、再生信号に対してノイズを押さえることができる。一方、明ドットＷＤの周辺画素領域ＳＧＡに対する信号振幅が０％〜２５％の範囲内では図６〜図８に示したように明ドットのサイズＸ＝±１５μｍ内での０次光の幅方向の分布が不安定であるので、信号検出の立場から好ましくない。
【００７７】
また、明ドットＷＤの周辺画素領域ＳＧＡに対する信号振幅が５５％以上になると、１次ピーク／０次ピークの比及び２次ピーク／０次ピークの比が共に大きくなるので、再生信号に対してノイズを押さえることができない。
【００７８】
更に、明ドットＷＤの周辺画素領域ＳＧＡに対する信号振幅が１００％の場合において、１次ピーク／０次ピークの比及び２次ピーク／０次ピークの比は、本発明のように正方形状に形成した明ドットの方が本発明に対する参考例となる円形状の明ドットよりも小さい。
【００７９】
尚、参考例となる円形状の明ドットに対して最も明るく表示される中心画素領域の周辺にこの中心画素領域よりも光強度が低い周辺画素領域を形成すれば、同一の光強度で最も明るく表示される円形状の明ドットよりもノイズ成分を減少させることができる。
【００８０】
次に、図５に示したシミュレーションモデルにおいて、暗ドットＢＤと明ドットＷＤとを適宜組み合わせた画像情報光を再生観察面上に結像させたときに、位相共役再生した再生信号のノイズの評価について図１４〜図１７を用いて説明する。
【００８１】
図１４は図５に示したシミュレーションモデルにおいて、２−４変調した暗ドット及び明ドットを適宜組み合わせた画像情報光を再生観察面上に結像させるときに、明ドットの周辺画像領域に対して信号振幅を５０％に設定した状態を示した図、
図１５は図５に示したシミュレーションモデルにおいて、２−４変調した暗ドット及び明ドットを適宜組み合わせた画像情報光を再生観察面上に結像させるときに、明ドットの周辺画像領域に対して信号振幅を１００％に設定した状態を示した図、
図１６は図１４及び図１５に示した各画像情報光を再生観察面上に結像させて、再生信号のノイズを評価する動作を説明するための図、
図１７は図１４及び図１５に示した各画像情報光を再生観察面上に結像させて、再生信号のノイズを評価した結果を示した図である。
【００８２】
ここで、暗ドットＢＤ及び明ドットＷＤを適宜組み合わせた画像情報光は、図１４と図１５とに対して変調前は共に同じデータを用いているものの、２−４変調する際に図１４に示した状態では明ドットＷＤの周辺画素領域ＳＧＡに対して信号振幅を５０％に設定し、一方、図１４に示した比較例として図１５に示した状態では明ドットＷＤの周辺画素領域ＳＧＡに対して信号振幅を１００％に設定している。
【００８３】
そして、図１４に示した画像情報光と、図１５に示した画像情報光とをそれぞれ再生観察面（図５）上に設けた不図示のＣＣＤなどによる撮像素子に結像させて、ＪＰＥＧ画像として不図示のパソコンに取り込んで保存し、このＪＰＥＧ画像をパソコン内で必要な画像処理（トリミング、傾き補正等）行った後ビットマップに変換し、更に８ビットを用いて２５６階調に数値化した。この後、数値化したデータを２５６階調の信号強度に対する度数分布として統計処理して、再生信号のノイズの評価を下記に基づいて行った。
【００８４】
ここで、先に図４を用いて前述したように、暗ドットＢＤに対する２値中の「０」が「００」と「０１」に２−４変調され、且つ、明ドットＷＤに対する２値中の「１」が「１０」と「１１」に２−４変調された際に「００」，「０１」，「１０」，「１１」中では、いずれも「黒」＝「０」に表示される確率と、「白」＝「１」に表示される確率とが３：１の割合で出現するので、図１４に示した画像情報光と、図１５に示した画像情報光とをそれぞれ２５６階調に数値化したときの度数分布は図１６に示したようになる。
【００８５】
この図１６において、図示左側が「黒」＝「０」に表示される確率３の場合を示し、図示右側が「白」＝「１」に表示される確率１の場合を示しているが、ここで、記録ビットが「黒」＝「０」か、「白」＝「１」かに応じて出現度数を計測することでヒストグラムを得て、このヒストグラムから「０」，「１」の各平均値μ０，μ１と、各分散値σ０，σ１とを計算し、下記の式３によりノイズを求めて再生信号の良否を判断した。
【数３】
2008112477.tif 000005
【００８６】
この際、分布のばらつきが少ないほど低ノイズであることを意味する。
【００８７】
また、ノイズを低減させることによってＳＮ比を向上させることにつながることは言うまでもない。
【００８８】
ここで、図１４に示した画像情報光と、図１５に示した画像情報光とを１０１角度多重して記録した場合に、角度多重のページ数ごとに上記した式３により再生信号のノイズを測定した結果を図１７に示す。
【００８９】
この図１７から、図１４に示したように明ドットＷＤの周辺画素領域ＳＧＡに対して信号振幅を５０％に設定した場合の方が、比較例として図１５に示したように明ドットＷＤの周辺画素領域ＳＧＡに対して信号振幅を１００％に設定した場合よりも、再生信号のノイズが低減していることが明らかである。
【００９０】
上記から本発明に係るホログラム記録方法によると、暗ドットＢＤと明ドットＷＤとを適宜組み合わせた画像情報光を角度多重によりホログラム記録媒体１上に記録した場合に、明ドットＷＤの中心画素領域ＯＧＡよりも暗い光強度で且つ暗ドットＢＤよりも明るい光強度に設定した周辺画素領域ＳＧＡにより、暗ドットＢＤと明ドットＷＤとの境界部位が急峻に変化しないために、高次ピークを低減できるので、これに伴って再生信号のノイズを低減できると共に、ビットエラーレートが小さく信頼性が高い再生が可能となる。
【００９１】
また、明ドットＷＤの周辺画素領域ＳＧＡを中心画素領域ＯＧＡよりも暗い光強度で且つ暗ドットＢＤよりも明るい光強度に設定することにより、記録における露光量を少なくでき、記録の多重度（ダイナミックレンジ）が向上し、且つ、記憶容量も向上させることができる。
【００９２】
次に、本発明に係るホログラム記録方法において、少なくとも２以上の明ドットＷＤ同士が互いに隣接し合う場合の記録方法について図１８〜図２０を用いて説明する。
【００９３】
図１８は本発明に係るホログラム記録方法に対する比較例として、少なくとも２以上の明ドット同士が互いに隣接し合う場合の記録方法を説明するための模式図であり、（ａ）は明ドットが１個の場合を示し、（ｂ）は明ドットが２個の場合を示し、（ｃ）は明ドットが３個の場合を示し、（ｄ）は明ドットが４個の場合を示した図、
図１９は本発明に係るホログラム記録方法において、少なくとも２以上の明ドット同士が互いに隣接し合う場合の記録方法を説明するための模式図であり、（ａ）は明ドットが１個の場合を示し、（ｂ）は明ドットが２個の場合を示し、（ｃ）は明ドットが３個の場合を示し、（ｄ）は明ドットが４個の場合を示した図、
図２０は本発明に係るホログラム記録方法を一部変形させた変形例において、少なくとも２以上の明ドット同士が互いに隣接し合う場合の記録方法を説明するための模式図であり、（ａ）は明ドットが１個の場合を示し、（ｂ）は明ドットが２個の場合を示し、（ｃ）は明ドットが３個の場合を示し、（ｄ）は明ドットが４個の場合を示した図である。
【００９４】
図１８（ａ）〜（ｄ）に示したように、本発明に係るホログラム記録方法に対する比較例では、明ドットＷＤの全ての画素が最も明るく表示されている場合であり、更に、図１８（ｂ）〜（ｄ）に示したように、少なく２以上の明ドットＷＤ同士が互いに隣接し合っていても各明ドットＷＤは独立して配置されている場合である。
【００９５】
一方、図１９（ａ）〜（ｄ）に示した本発明に係るホログラム記録方法では、明ドットＷＤの中心画素領域ＯＧＡの周辺に形成した周辺画素領域ＳＧＡが中心画素領域ＯＧＡよりも暗い光強度で且つ暗ドットＢＤよりも明るい光強度に設定されている場合であり、更に、図１９（ｂ）〜（ｄ）に示したように、少なく２以上の明ドットＷＤ同士が互いに隣接し合っていても各明ドットＷＤは独立して配置されている場合である。
【００９６】
上記に対して図２０（ａ）〜（ｄ）に示したように、本発明に係るホログラム記録方法を一部変形させた変形例では、少なくとも２以上の明ドットＷＤ同士が互いに隣接し合う場合に、各明ドットＷＤの各中心画素領域ＯＧＡ同士を接合し、接合した後の中心画素領域ＯＧＡ’の周辺に沿って形成した周辺画素領域ＳＧＡ’を該中心画素領域ＯＧＡ’よりも暗い光強度に設定し且つ暗ドットＢＤよりも明るい光強度に設定している。上記を言い換えると、互いに隣接し合う各明ドットＷＤの周辺画素領域ＳＧＡ’は中心画素領域ＯＧＡ’よりも光強度を低く設定され且つ暗ドットＢＤよりも明るい光強度に設定されている。
【００９７】
従って、この変形例の場合でも、互いに隣接し合う少なくとも２以上の各明ドットＷＤの各中心画素領域ＯＧＡを接合した後の中心画素領域ＯＧＡ’よりも暗い光強度で且つ暗ドットＢＤよりも明るい光強度に設定した周辺画素領域ＳＧＡ’により、暗ドットＢＤと明ドットＷＤとの境界部位が急峻に変化しないために、高次ピークを低減できるので、これに伴って再生信号のノイズを低減できると共に、ビットエラーレートが小さく信頼性が高い再生が可能となる。
【図面の簡単な説明】
【００９８】
【図１】本発明に係るホログラム記録方法、ホログラム記録再生装置に適用されるホログラム記録媒体を説明するために断面して示した縦断面図であり、（ａ）は光透過型のホログラム記録媒体を示し、（ｂ）はホログラム記録媒体のホログラム記録層上に情報を角度多重記録する状態を模式的に示した図である。
【図２】（ａ）は図１に示した空間光変調器及び記録信号出力部を拡大して示した図であり、（ｂ）は液晶部に表示されるドットを示した図である。
【図３】（ａ），（ｂ）は本発明に係るホログラム記録方法において、空間光変調器の液晶部に表示される暗ドットと明ドットとを説明するための図である。
【図４】（ａ）〜（ｄ）は本発明に係るホログラム記録方法において、空間光変調器内で暗ドットと明ドットとに対して２−４変調を行う動作を模式的に示した図である。
【図５】本発明に係るホログラム記録方法において、光波面解析ソフトを用いたシミュレーションモデルを説明するために模式的に示した図である。
【図６】図５に示したシミュレーションモデルにおいて、正方形状の明ドットの周辺画素領域に対して信号振幅を０％に設定した場合のシミュレーション結果を示した図である。
【図７】図５に示したシミュレーションモデルにおいて、正方形状の明ドットの周辺画素領域に対して信号振幅を１０％に設定した場合のシミュレーション結果を示した図である。
【図８】図５に示したシミュレーションモデルにおいて、正方形状の明ドットの周辺画素領域に対して信号振幅を２５％に設定した場合のシミュレーション結果を示した図である。
【図９】図５に示したシミュレーションモデルにおいて、正方形状の明ドットの周辺画素領域に対して信号振幅を５０％に設定した場合のシミュレーション結果を示した図である。
【図１０】図５に示したシミュレーションモデルにおいて、正方形状の明ドットの周辺画素領域に対して信号振幅を７０％に設定した場合のシミュレーション結果を示した図である。
【図１１】図５に示したシミュレーションモデルにおいて、正方形状の明ドットの周辺画素領域に対して信号振幅を１００％に設定した場合のシミュレーション結果を示した図である。
【図１２】図５に示したシミュレーションモデルにおいて、本発明に対する参考例として円形状の明ドットの周辺画素領域に対して信号振幅を１００％に設定した場合のシミュレーション結果を示した図である。
【図１３】図５に示したシミュレーションモデルにおいて、図６〜図１２中での１次ピーク／０次ピークの比と、２次ピーク／０次ピークの比とを示した図である。
【図１４】図５に示したシミュレーションモデルにおいて、２−４変調した暗ドット及び明ドットを適宜組み合わせた画像情報光を再生観察面上に結像させるときに、明ドットの周辺画像領域に対して信号振幅を５０％に設定した状態を示した図である。
【図１５】図５に示したシミュレーションモデルにおいて、２−４変調した暗ドット及び明ドットを適宜組み合わせた画像情報光を再生観察面上に結像させるときに、明ドットの周辺画像領域に対して信号振幅を１００％に設定した状態を示した図である。
【図１６】図１４及び図１５に示した各画像情報光を再生観察面上に結像させて、再生信号のノイズを評価する動作を説明するための図である。
【図１７】図１４及び図１５に示した各画像情報光を再生観察面上に結像させて、再生信号のノイズを評価した結果を示した図である。
【図１８】本発明に係るホログラム記録方法に対する比較例として、少なくとも２以上の明ドット同士が互いに隣接し合う場合の記録方法を説明するための模式図であり、（ａ）は明ドットが１個の場合を示し、（ｂ）は明ドットが２個の場合を示し、（ｃ）は明ドットが３個の場合を示し、（ｄ）は明ドットが４個の場合を示した図である。
【図１９】本発明に係るホログラム記録方法において、少なくとも２以上の明ドット同士が互いに隣接し合う場合の記録方法を説明するための模式図であり、（ａ）は明ドットが１個の場合を示し、（ｂ）は明ドットが２個の場合を示し、（ｃ）は明ドットが３個の場合を示し、（ｄ）は明ドットが４個の場合を示した図である。
【図２０】本発明に係るホログラム記録方法を一部変形させた変形例において、少なくとも２以上の明ドット同士が互いに隣接し合う場合の記録方法を説明するための模式図であり、（ａ）は明ドットが１個の場合を示し、（ｂ）は明ドットが２個の場合を示し、（ｃ）は明ドットが３個の場合を示し、（ｄ）は明ドットが４個の場合を示した図である。
【符号の説明】
【００９９】
１…ホログラム記録媒体、
２…基板、２ａ…一方の面、２ｂ…他方の面、３…ホログラム記録層、
１０…ホログラム記録再生装置、
１１…スピンドルモータ、１２…ターンテーブル、
２０…記録用光ヘッド、
２１…レーザ光源、２２…コリメーターレンズ、
２３…半透過反射ミラー、２４…第１反射ミラー、２５…第１集光レンズ、
２６…第２反射ミラー、２７…空間光変調器、２８，２９…透明電極、
３０…液晶部、３０ａ…液晶セル（画素）、３１…記録信号出力部、
３２…第２集光レンズ、
４０…再生用光ヘッド、
４１…対物レンズ、４２…撮像素子（ＣＣＤ）、４２ａ…撮像信号、
４３…再生信号処理部、
Ｌ…レーザ光源から出射されたレーザ光、Ｌａ…一方の光線、Ｌｂ…他方の光線、
Ｌｒ…記録光（信号光）、Ｌｓ…参照光、Ｌｐ…再生光、
Ｏ…記録用ヘッド筺体の回転中心、Ｐ…記録トラック上の点、
Ｒｓ…記録信号、Ｄ…ドット、ＢＤ…暗ドット、ＷＤ…明ドット、
ＯＧＡ，ＯＧＡ’…明ドットの中心画素領域、
ＳＧＡ，ＳＧＡ’…明ドットの周辺画素領域。
【図１】
2008112477.tif 000006
【図２】
2008112477.tif 000007
【図５】
2008112477.tif 000008
【図６】
2008112477.tif 000009
【図７】
2008112477.tif 000010
【図８】
2008112477.tif 000011
【図９】
2008112477.tif 000012
【図１０】
2008112477.tif 000013
【図１１】
2008112477.tif 000014
【図３】
2008112477.tif 000015
【図４】
2008112477.tif 000016
【図１２】
2008112477.tif 000017
【図１３】
2008112477.tif 000018
【図１４】
2008112477.tif 000019
【図１５】
2008112477.tif 000020
【図１６】
2008112477.tif 000021
【図１７】
2008112477.tif 000022
【図１８】
2008112477.tif 000023
【図１９】
2008112477.tif 000024
【図２０】
2008112477.tif 000025